(57)【要約】【課題】投写画像をスクリーンの画枠に収めることができ、かつ、投写画像の画質劣化を抑制することのできるプロジェクタを提供する。【解決手段】プロジェクタは、画像変形モードと画像切り取りモードの設定が可能とされている。画像変形モードでは、画角変換部３が、液晶パネル７上に形成される画像を投写することにより表示される画面が表示エリア内に収まるように、メモリａに格納された画像データに対して変形処理を行うとともに、該変形処理を施した画像データに基づいて形成される液晶パネル７上の画像における、上記表示エリアに対応する位置情報を取得し、該位置情報に基づいて、メモリａに格納された画像データ上における有効エリアを決定する。画像切り取りモードでは、画像データ抽出部１４が、メモリａに格納された画像データから、画角変換部３で決定した有効エリアに対応する画像データを抽出する。【選択図】図１
2007336370.tif 000002
【特許請求の範囲】
【請求項１】
液晶パネル上に形成された画像を投写するプロジェクタであって、
画像データが格納されるメモリと、
前記投写される投写画像が所定の表示エリア内に収まるように、前記メモリに格納された画像データに対して変形処理を行うとともに、該変形処理を施した画像データに基づいて形成される前記液晶パネル上の画像における、前記表示エリアに対応する位置情報を取得し、該位置情報に基づいて、前記メモリに格納された画像データ上における有効エリアを決定する画角変換部と、
前記メモリに格納された画像データから、前記画角変換部で決定した有効エリアに対応する画像データを抽出する画像データ抽出部と、
画像変形モードと画像切り取りモードの設定が可能とされ、前記画像変形モードを設定した場合は、前記画角変換部による変形処理が施された画像データに基づく画像を前記液晶パネル上に形成させ、前記画像切り取りモードを設定した場合には、前記画像データ抽出部で抽出した画像データに基づく画像を前記液晶パネル上に形成させる制御部と、を有するプロジェクタ。
【請求項２】
前記表示エリア内に表示される画像データのオフセット方向およびオフセット量を指定するための入力キーをさらに有し、
前記制御部は、前記画像切り取りモードを設定した状態で、前記方向キーにより前記オフセット方向およびオフセット量が指定されると、該オフセット方向およびオフセット量に基づいて、前記メモリの画像データ上における、前記画角変換部で決定した有効エリアの位置をオフセットし、
前記画像データ抽出部は、前記メモリに格納された画像データから、前記制御部により位置がオフセットされた有効エリアに対応する画像データを抽出する、請求項１に記載のプロジェクタ。
【請求項３】
前記画像変形処理が、前記投写される投写画像に生じる台形歪みを補正するための台形歪み補正処理である、請求項１または２に記載のプロジェクタ。
【請求項４】
前記画像変形処理が、前記メモリに格納された画像データに基づいて表示される、前記液晶パネル上の画像を、補間処理を行いながら拡大または縮小するデジタルズーム処理である、請求項１または２に記載のプロジェクタ。
【請求項５】
メモリに格納された画像データに基づいて液晶パネル上に画像を形成し、該画像を投写した投写画像が所定の表示エリア内に収まるように、前記メモリに格納された画像データに対して変形処理を行う第１のステップと、
前記変形処理を施した画像データに基づいて形成される、前記液晶パネル上の画像における前記表示エリアに対応する位置情報を取得し、該位置情報に基づいて、前記メモリに格納された画像データ上における有効エリアを決定する第２のステップと、
前記メモリに格納された画像データから、前記第２のステップで決定した有効エリアに対応する画像データを抽出する第３のステップと、
画像変形モードを設定する旨の入力を受け付けた場合は、前記第１のステップで変形処理が施された画像データに基づく画像を前記液晶パネル上に形成させ、画像切り取りモードを設定する旨の入力を受け付けた場合は、前記第３のステップで抽出した画像データに基づく画像を前記液晶パネル上に形成させる第４のステップと、を含む、画角制御方法。
【発明の詳細な説明】
【技術分野】
【０００１】
本発明は、入力映像信号に基づく画像を投写するプロジェクタに関する。
【背景技術】
【０００２】
プロジェクタを設置する場合、プロジェクタとスクリーンの間の距離（投写距離）やプロジェクタからの画像が投写される角度は、使用者によって任意に設定される。最近のプロジェクタには、使用者によるプロジェクタの設置作業を簡単にするために、デジタルズーム機能や台形歪み（キーストーン歪み）補正機能が設けられている（特許文献１、２参照）。ここで、台形歪み補正機能は、スクリーンに対して斜め方向から画像が投写された場合に生じる画面の台形歪みを補正する機能である。デジタルズーム機能は、画像を補間処理を行いながら拡大または縮小する機能である。表示画面（投写画像）がスクリーンの画枠からはみ出した場合、使用者は、台形歪み補正機能やデジタルズーム機能を使って、表示画面をスクリーンの画枠に収めるように調整することができる。
【０００３】
図１０（ａ）および図１０（ｂ）は、台形歪み補正処理を説明するための模式図、図１０（ｃ）および図１０（ｄ）は、デジタルズーム処理を説明するための模式図である。
【０００４】
図１０（ａ）に示すように、液晶パネル上に形成される画像Ｐ１を台形歪み補正処理なしでスクリーンに斜め方向から投写した場合、その投写画像Ｔ１は台形状となり、画枠ＳＣからはみ出す。この場合は、投写画像Ｔ１が画枠ＳＣに収まるように、画像Ｐ１に対して台形歪み補正を行う。図１０（ｂ）に示すように、台形歪み補正を施した画像Ｐ２を投写すると、その投写画像Ｔ２は画枠ＳＣ内に収まる。
【０００５】
また、図１０（ｃ）に示すように、液晶パネル上に形成される画像Ｐ３をスクリーンに投写し、その投写画像Ｔ３がスクリーン画枠ＳＣからはみ出す場合は、投写画像がスクリーン画枠ＳＣに収まるように、画像Ｐ３に対してデジタルズーム機能による補正を行う。図１０（ｄ）に示すように、デジタルズーム処理を施した画像Ｐ４を投写すると、その投写画像Ｔ４は画枠ＳＣ内に収まる。
【０００６】
このように、投写画像がスクリーン画枠をはみ出す場合には、液晶パネル上に形成される画像に対して、台形歪み補正処理やデジタルズーム処理を施すことで、表示画面（投写画像）をスクリーンの画枠に収めることができる。
【特許文献１】特開２００５−１９５９６９号公報
【特許文献２】特表２００２−５２７９５３号公報
【発明の開示】
【発明が解決しようとする課題】
【０００７】
しかしながら、台形歪み補正やデジタルズームを使って表示画面（投写画像）をスクリーンの画枠に収める方法には、以下のような問題がある。
【０００８】
液晶パネル上に形成される画像（元画像データ）に対して台形歪み補正やデジタルズームによる画像変形処理を行う場合、処理後の画像データは、元画像データに比べて劣化する。このため、投写画像が見づらくなる場合がある。特に、罫線、小さな文字、網掛けパターンなどを含む元画像データに対して画像変形処理を行った場合は、画質の劣化が目立ち易く、投写画像が見づらくなる。
【０００９】
なお、一時的に台形歪み補正やデジタルズームを解除することで、画質劣化を回避することができる。しかし、この場合は、投写画像がスクリーンの画枠からはみ出すことになるため、使用者は、プロジェクタを設置し直す必要がある。このような設置作業は、使用者にとって煩わしい。
【００１０】
本発明の目的は、上記問題を解決し、投写画像をスクリーンの画枠に収めることができ、かつ、投写画像の画質劣化を抑制することのできるプロジェクタを提供することにある。
【課題を解決するための手段】
【００１１】
上記目的を達成するため、本発明のプロジェクタは、
液晶パネル上に形成された画像を投写するプロジェクタであって、
画像データが格納されるメモリと、
前記投写される投写画像が所定の表示エリア内に収まるように、前記メモリに格納された画像データに対して変形処理を行うとともに、該変形処理を施した画像データに基づいて形成される前記液晶パネル上の画像における、前記表示エリアに対応する位置情報を取得し、該位置情報に基づいて、前記メモリに格納された画像データ上における有効エリアを決定する画角変換部と、
前記メモリに格納された画像データから、前記画角変換部で決定した有効エリアに対応する画像データを抽出する画像データ抽出部と、
画像変形モードと画像切り取りモードの設定が可能とされ、前記画像変形モードを設定した場合は、前記画角変換部による変形処理が施された画像データに基づく画像を前記液晶パネル上に形成させ、前記画像切り取りモードを設定した場合には、前記画像データ抽出部で抽出した画像データに基づく画像を前記液晶パネル上に形成させる制御部と、を有する。
【００１２】
上記の構成によれば、画像変形処理が行われる画像変形モードと、画像変形処理は行われない画像切り取りモードとの間でモード切り替えが可能とされている。画面がスクリーンの画枠内の表示エリアからはみ出した場合には、画像変形モードに設定する。画像変形モードが設定された場合は、台形歪み補正やデジタルズームによる画像変形処理により、表示画面を所定の表示エリア内に収めることができるので、プロジェクタを設置し直すといった作業を行う必要はない。
【００１３】
また、画像変形モードを設定した状態において、画像変形処理による画質劣化のために画面が見づらくなる場合は、画像切り取りモードに設定する。画像切り取りモードでは、メモリに格納された画像データから、スクリーンの画枠内の表示エリアに相当する部分の画像データのみを抽出し、抽出した画像データに基づく画像を、画像変形処理を行うことなく、スクリーン上に投写する。画像変形処理を行わないので、投写画像の画質が劣化することはない。
【発明の効果】
【００１４】
本発明によれば、画像変形モードにより、画面がスクリーンの表示エリア内に収まるように簡単に調整することができる、という既存の効果に加えて、画像切り取りモードにより、変形処理による投写映像の見づらさを改善することができる、という効果がある。
【発明を実施するための最良の形態】
【００１５】
次に、本発明の実施形態について図面を参照して説明する。
【００１６】
図１は、本発明の一実施形態であるプロジェクタの概略構成を示すブロック図である。図１を参照すると、このプロジェクタは、ランプ６からの光束を液晶パネル７で空間変調して得られる画像光を投写レンズ８でスクリーン９上に投写するものであって、その主要部は、映像入力部１、ＡＤ変換部２、画角変換部３、ＤＡ変換部４、液晶パネルドライブ部５、オンスクリーンディスプレイ（ＯＳＤ）１０、ＣＰＵ１１、記憶部１２、キー入力部１３、および画像データ抽出部１４からなる。
【００１７】
映像入力部１は、パーソナルコンピュータなどの外部映像信号源から映像信号（アナログ）が供給される。映像入力部１に供給された映像入力部１は、ＡＤ変換部２に供給される。ＡＤ変換部２は、映像入力部１から供給された映像信号をデジタル信号に変換する。ＡＤ変換部２でＡＤ変換されたデジタル映像信号は、記憶部１２に格納される。
【００１８】
記憶部１２は、デジタル映像信号および該デジタル映像信号に関する処理データや情報を保持するためのメモリａ〜ｃを有する。メモリａには、ＡＤ変換部２から出力される１フレーム分の映像データが格納される。メモリｂには、ＯＳＤ１０で設定された台形歪みの補正パラメータが格納される。メモリｃには、画像データ上におけるスクリーン９の画枠に関する位置情報（有効エリア）が格納される。記憶部１２は、当該プロジェクタを動作させるのに必要なプログラムやデータも格納されている。
【００１９】
キー入力部１３は、当該プロジェクタの各機能を実行するためのキーや情報を入力するためのキーを備える。キー入力部１３に設けられるキーとしては、上キー、下キー、左キー、右キー、決定キーなどがある。ＯＳＤ１０は、キー入力部１３にて所定のキーが押下されると、オンスクリーンメニュー情報を液晶パネル７上に表示し、表示メニューに従って使用者が選択または入力した情報に基づいて各種設定を行う。オンスクリーンメニュー情報は、例えば、メインメニューとサブメニューから構成されるはプルダウン方式のメニュー情報である。使用者は、表示されたオンスクリーンメニュー上で、画像表示に関する各設定（例えば、アスペクト比、キーストーンなどの画像パラメータに関する設定）を行うことができる。オンスクリーンメニューで設定された台形歪みの補正パラメータは、メモリｂに格納される。
【００２０】
画角変換部３は、デジタル信号に変換された映像信号の画角を変形し、液晶パネル上の位置情報（有効エリア）を取得する。ここで、映像信号の画角変形の処理は、台形歪み補正やデジタルズームによる画角変形処理である。位置情報（有効エリア）は、変形処理された画像データの液晶パネル７上における位置情報であって、スクリーン９の画枠に相当する。位置情報（有効エリア）は、メモリｃに格納される。画像データ抽出部１４は、メモリａに格納されたフレームデータからメモリｃに格納された有効エリアに相当する画像データを抜き出す。
【００２１】
ＤＡ変換部４は、画角変換部３で画角変形処理が施された画像データ（デジタル）または画像データ抽出部１４で抽出した画像データ（デジタル）をアナログ信号に変換する。このＤＡ変換部４でＤＡ変換された画像データは、液晶パネルドライブ部５に供給されている。液晶パネルドライブ部５は、ＤＡ変換部４から供給される画像データに基づいて液晶パネル７を駆動する。
【００２２】
ＣＰＵ１１は、記憶部１２に格納されているプログラムに従ってプロジェクタ全体の動作を制御するものであって、キー入力部１３からの入力を受け付けて、画角変換部３、ＯＳＤ１０、記憶部１２、およびデータ抽出部１４の各部の動作を制御する。画像の表示モードには、画角変換部３による画角変形処理が施された画像データに基づく画像表示が行われる画像変形モードと、画像データ抽出部１４で抽出した画像データに基づく画像表示が行われる画像切り取りモードとがあり、使用者は、キー入力部１３を通じて、これらモードを任意に選択することが可能である。ＣＰＵ１１は、キー入力部１３を通じたモード選択入力に応じて、画像変形モードと画像切り取りモードの切り替えを制御する。
【００２３】
次に、本実施形態のプロジェクタの動作を具体的に説明する。
【００２４】
［画像変形モード］
使用者が、キー入力部１３上で、画像変形モードを選択するための入力操作を行うと、ＣＰＵ１１は、その入力操作を受け付けて、プロジェクタの画像の表示モードを画像変形モードに設定する。
【００２５】
外部映像信号源からフレーム単位に供給された映像信号は、映像入力部１を介してＡＤ変換部２に供給され、ＡＤ変換部２にて、デジタル信号に変換される。ＡＤ変換された映像信号は、メモリａに一旦格納された後、画角変換部３に供給される。画角変換部３は、供給された画像データに対してメモリｂに格納されている補正パラメータに基づく画像変形処理を施す。画像変形処理が施された画像データは、ＤＡ変換部４にてアナログ信号に変換された後、液晶パネルドライブ５に供給される。液晶パネルドライブ５は、供給された画像データに基づいて、液晶パネル７を駆動する。こうして、スクリーン９上に画像が表示される。
【００２６】
プロジェクタ起動時は、メモリｂはデフォルトの状態となっているため、画角変換部３による画像変形処理は行われない。よって、スクリーン９に対するプロジェクタの設置の仕方によっては、スクリーン９上の表示画面に台形歪が生じ、画面の一部がスクリーン９の画枠からはみ出す場合がある。
【００２７】
一例として、図２（ａ）にメモリａに格納された画像データＳ（元画像）、図２（ｂ）に液晶パネル上に形成される画像Ｐ５、図２（ｃ）にスクリーン上の表示画面Ｔ５をそれぞれ示す。図２（ａ）に示した画像データＳは、罫線や文字データを含む表形式の情報データである。この画像データＳを画像変形処理を行わずにそのまま表示する場合は、図２（ｂ）に示すような正方形の画像Ｐ５が液晶パネル上に形成される。画像Ｐ５をスクリーンに向かって斜め上方向へ投写した場合は、図２（ｃ）に示すような、台形歪みを有する表示画面Ｔ５が表示される。この例では、表示画面Ｔ５の一部は、スクリーンの画枠ＳＣからはみ出した状態となっている。
【００２８】
上記のように、表示画面に台形歪みを生じ、画面の一部が画枠からはみ出すような場合は、使用者による台形歪みの補正パラメータの設定が以下のようにして行われる。
【００２９】
使用者が、キー入力部１３にて、オンスクリーンメニューを表示するためのキーを押下すると、ＯＳＤ１０が、オンスクリーンメニュー情報を液晶パネル７上に表示する。使用者は、表示メニューに従って各設定を行う。この設定の１つが、台形歪みの補正パラメータ設定である。
【００３０】
図３（ａ）に、台形歪みの補正パラメータ設定画面の一例を示す。この台形歪みの補正パラメータ設定画面は、画像データに対して水平方向（液晶パネル上の表示画像における水平方向に対応する）についての変形を行うための水平方向調整用ボタンと、画像データに対して垂直方向（液晶パネル上の表示画像における垂直方向に対応する）についての変形を行うための垂直方向調整用ボタンを有する。これら調整用ボタンは、いわゆるスライダー形態とされており、調整用ボタンをスライドすることで、所望のパレメータの数値を設定することができる。スライダーの横には、ボタンの位置に応じてパレメータの数値が表示されるボックスが用意されており、使用者は、そのボックス内に表示されるパレメータから現在の設定値を知ることができる。この例では、各調整ボタンをスライドさせ、あるいは、調整ボタンの両側に配置された左右キーを押下することで、水平方向および垂直方向のそれぞれについて台形歪みの補正パラメータを設定することができる。
【００３１】
図３（ｂ）に、垂直方向について、台形歪みの補正パラメータを「０」〜「３」の４段階で変化させた場合の、液晶パネル上に表示される画像の形状変化を模式的に示す。台形歪みの補正パラメータが「０」に設定した場合は、正方形の画像が表示される（形状は元画像と同じ）。台形歪みの補正パラメータの設定値が「１」、「２」、「３」と徐々に大きくなるに従って、台形歪みの補正量は大きくなる。
【００３２】
プロジェクタでは、補正パラメータの設定値に応じて、画角変換部３による台形歪み補正の変形処理がリアルタイムに行われるようになっている。オンスクリーンメニュー画面と変形処理が施された画像データに基づく表示画面は、スクリーン上に同時に表示せることができる。よって、使用者は、これら画面を見ながら、オンスクリーンメニュー上で、水平方向調整用ボタンや垂直方向調整用ボタンをスライドさせることで、表示画面の台形歪みを調整すると同時に、表示画面全体がスクリーン９の画枠に収まるように調整することができる。
【００３３】
図２（ｄ）に、台形歪み補正をかけた場合に液晶パネル上に表示される画像を、図２（ｅ）に、その画像に基づく表示画面をそれぞれ示す。図２（ｄ）に示した画像は、図２（ａ）に示した画像データＳに対して台形歪み補正をかけた場合の、液晶パネル上に表示される画像である。このように、台形歪み補正をかけることで、スクリーン上では、台形歪が補正された表示画面Ｔ６が、画枠ＳＣ内にちょうど収まる大きさで表示される。
【００３４】
上述のようにして、ＯＳＤ１０にて、台形歪みの補正パラメータが設定されると、ＣＰＵ１１は、その設定されたパラメータをメモリｂに格納する。台形歪みの補正パラメータの設定後、画角変換部３は、メモリａから読み出した画像データに対して、メモリｂに格納されている補正パラメータに基づく台形歪み補正を行う。こうして、スクリーン９上には、台形歪みが補正された画像が、画枠内に収まる大きさで表示される。
【００３５】
また、補正パラメータに基づく台形歪み補正を行う処理過程において、画角変換部３は、変形処理された画像データの液晶パネル７上における位置情報（図２（ｄ）中の破線で示される有効エリアＲ）を取得する。図２（ｄ）中の有効エリアＲは、図２（ｅ）に示したスクリーン上の有効エリアＡに対応する。有効エリアＡは、画枠ＳＣ内に設定されるエリアであって、画枠ＳＣと同じサイズに設定することも可能である。この液晶パネル７上の位置情報の取得は、以下のようにして行われる。
【００３６】
図４に、液晶パネル上に形成される画像の台形歪み補正量を模式的に示す。台形歪み補正が施された画像について、水平方向および垂直方向の各ラインの補正量が計算される。補正量は、例えば図４に示すように、水平ラインＬにおける矢印ａ、ｂによって与えられる量である。これら補正量は、使用者によって設定された台形歪みの補正パラメータの値から、予め用意されたテーブル情報（記憶部１２に格納されている）を用いて計算される。
【００３７】
図５に、垂直方向に関するパラメータ補正量テーブルの一例を示し、図６に、水平方向に関するパラメータ補正量テーブルの一例を示す。図５及び図６において、パラメータの欄の値は、使用者によって設定される台形歪みの補正パラメータの値に対応し、パラメータ値毎に、垂直方向および水平方向に関する各ラインの補正量（ａ，ｂ）が設定されている。この例は、パネル解像度が１０２４×７６８の液晶パネルの補正量である。例えば、使用者が、垂直方向の補正パラメータを「２」、水平方向の補正パラメータを「３」に設定した場合は、画角変換部３は、パラメータ補正量テーブル（垂直）において、パラメータ「２」の欄の補正量（ａ、ｂ）を取得し、パラメータ補正量テーブル（水平）において、パラメータ「３」の欄の補正量（ａ、ｂ）を取得する。そして、画角変換部３は、その取得した補正量に基づいて、液晶パネル上の有効エリア（図４中のエリアＡＢＣＤ）を算出する。
【００３８】
上記のようにして画角変換部３で算出した有効エリアの情報は、ＣＰＵ１１によってメモリｃに格納される。なお、ここでは、テーブルを参照して補正量を計算しているが、補正量が一定の規則に従って変化するような場合は、画角変換部３は、その規則に対応する計算式に基づいて、使用者が設定した補正パラメータから補正量を計算するようにしてもよい。
【００３９】
また、図５及び図６に示したパラメータ補正量テーブルは、各ラインの補正量（ａ，ｂ）を補正パラメータ毎に格納したものであるが、これに代えて、図４に示した画像の頂点ＡＢＣＤの座標を補正パラメータ毎に格納したテーブルを用いてもよい。
［画像切り取りモード］
使用者が、キー入力部１３上で、画像切り取りモードを選択するための入力操作を行うと、ＣＰＵ１１は、その入力操作を受け付けて、プロジェクタの画像の表示モードを画像切り取りモードに設定する。
【００４０】
画像切り取りモードでは、ＡＤ変換部２でＡＤ変換された映像信号は、メモリａに一旦格納される。画像データ抽出部１４は、メモリｃに格納されている有効エリアの位置情報に基づいて、メモリａに格納された画像データ上の有効エリアを特定する。例えば、図７（ａ）に示すように、画角変換部３によって液晶パネル上の有効エリアＲ１が設定されている場合は、画像データ抽出部１４は、メモリｃから、その有効エリアＲ１の位置情報を取得する。そして、画像データ抽出部１４は、その取得した有効エリアＲ１の位置情報に基づいて、図７（ｂ）に示すように、メモリａの画像データＤ上の、有効エリアＲ１に対応する有効エリアＳ１を求める。なお、メモリａのアドレスと液晶パネル９の画素との対応付けは予め行われているものとする。
【００４１】
有効エリアＳ１を求めた後、画像データ抽出部１４は、メモリａに格納されている画像データのうち、その有効エリアＳ１内に含まれる画像データをＤＡ変換部４に供給する。ＤＡ変換部４は、画像データ抽出部１４から供給された有効エリアＳ１の画像データをアナログ信号に変換する。ＤＡ変換された有効エリアＳ１の画像データは、液晶パネルドライブ５に供給される。液晶パネルドライブ５は、供給された画像データに基づいて、液晶パネル７を駆動する。液晶パネル７上には、図７（ｃ）に示すように、有効エリアＳ１の画像データに基づく画像が形成され、スクリーン９上には、画枠内、その画像に基づく画面が表示される。
【００４２】
以上説明した本実施形態のプロジェクタによれば、図２（ｃ）に示したように、スクリーン上に表示された画面Ｔ５に台形歪みが生じており、しかも、画面の一部がスクリーンの画枠ＳＣからはみ出している場合には、使用者は、キー入力部１３にて画像変形モードを選択し、オンスクリーンメニューによる補正パラメータの設定を行う。これにより、スクリーン上では、図２（ｅ）に示したような、台形歪が補正された表示画面Ｔ６が、画枠ＳＣ内にちょうど収まる大きさで表示される。
【００４３】
また、表示画面Ｔ６において、画像変形処理による画質劣化のために、表示された文字などの情報が見え難くい場合には、使用者は、キー入力部１３にて画像切り取りモードを選択する。画像切り取りモードでは、画像変形処理は行われずに、図２（ａ）に示した画像データＳのうち、有効エリアＳ１内に含まれる画像データＰ７に基づく画像が液晶パネル上に形成される。そして、図２（ｇ）に示すように、スクリーン上には、画像データＰ７に基づく表示画面Ｔ７が、画枠ＳＣ内にちょうど収まる大きさで表示される。
【００４４】
なお、表示画面Ｔ７で表示される画像データは、元画像である画像データＳの一部であり、残りの部分は非表示となる。画像切り取りモードで、表示画面Ｔ７が表示されている状態において、使用者は、キー入力部１３にて、上キー、下キー、左キー、右キーの方向キーを押すことによって、非表示の部分を表示することができる。この非表示の部分の表示は、具体的には、以下のようにして行われる。
【００４５】
使用者が、キー入力部１３にて、上キー、下キー、左キー、右キーのいずれかの方向キーを押すと、ＣＰＵ１１は、押された方向キーによって特定される方向に、メモリａの画像データ上における有効エリアＳ１の位置をオフセットする。オフセット量は、所定の量であってもよいし、方向キーが押されている時間の長さに応じた量であってもよい。ＣＰＵ１１は、オフセット量を制御信号とともに画像データ抽出部１４に供給する。画像データ抽出部１４は、メモリａに格納された画像データから、ＣＰＵ１１により位置がオフセットされた有効エリアに対応する画像データを抽出する。
【００４６】
図８（ａ）に、有効エリアＳ１のオフセット処理を模式的に示す。図８（ａ）の上部には、方向キーにより指定されるオフセット方向およびオフセット量が、「ｄｘ」および「ｄｙ」の成分からなる２次元のベクトルとして示されている。この例は、右キーおよび下キーが押された場合の例である。ＣＰＵ１１は、方向キーにより指定されるオフセット方向およびオフセット量に基づいて、メモリａに格納された画像データＤ上における有効エリアＳ１の位置を移動する。そして、画像データ抽出部１４は、画像データＤのうち、移動後の有効エリアＳ２内に含まれる画像データをＤＡ変換部４に供給する。これにより、液晶パネル上には、図８（ｂ）に示すように、有効エリアＳ２の画像データに基づく画像が形成されるが、その形成画像の位置は、有効エリアＳ１の画像データに基づく画像の形成位置と同じである。
【００４７】
このオフセット処理によれば、使用者は、方向キーを押すだけで、非表示の部分を表示させることができる。具体的には、図９に示すように、左キーを押すと、画面左側の非表示の部分を表示させることができ、右キーを押すと、画面右側の非表示の部分を表示させることができ、上キーを押すことで、画面上側の非表示の部分を表示させることができる。
【００４８】
以上は、台形歪み補正を例にした説明であるが、デジタルズーム処理を行う場合も同様の処理を行うことで、変形処理による画質劣化を抑制することができる。
【００４９】
また、メモリａにはフレーム単位に画像データが格納されるようになっているが、フィールド単位に画像データが格納されるようにしてもよい。この場合は、上述の説明においてフレームをフィールドに置き換えることで、動作を説明することができる。
【００５０】
上述した実施形態のプロジェクタは、本発明の一例であり、その構成及び動作は、発明の趣旨を逸脱しない範囲で適宜に変更することができる。
【００５１】
スクリーン９は、投写専用のスクリーンであってもよく、また、壁などの構造体であってもよい。いずれの場合も、スクリーンには画枠が設定される。
【００５２】
キー入力部１３は、プロジェクタ本体に設けられた操作部であってもよく、また、プロジェクタ本体とは別体のリモートコントローラ（リモコン）であってもよい。
【００５３】
本発明のプロジェクタは、液晶パネル等の空間変調が可能な表示デバイスにより形成された画像を投写する全てのプロジェクタに適用することができる。
【図面の簡単な説明】
【００５４】
【図１】本発明の一実施形態であるプロジェクタの概略構成を示すブロック図である。
【図２】（ａ）〜（ｇ）は、図１に示すプロジェクタの動作を説明するための模式図である。
【図３】（ａ）は、台形歪みの補正パラメータ設定画面の一例を示す模式図、（ｂ）は、台形歪みの補正パラメータに基づく液晶パネル上の画像の形状変化を示す模式図である。
【図４】液晶パネル上に形成される画像の台形歪み補正量を説明するための図である。
【図５】垂直方向に関するパラメータ補正量テーブルの一例を示す図である。
【図６】水平方向に関するパラメータ補正量テーブルの一例を示す図である。
【図７】（ａ）〜（ｃ）は、図１に示す画像データ抽出部にて行われる画像データ抽出処理を説明するための模式図である。
【図８】有効エリアのオフセット処理を説明するための図である。
【図９】オフセット処理により表示される画面の内容を示す模式図である。
【図１０】（ａ）〜（ｄ）は、既存のプロジェクタの画像変形処理を説明するための模式図である。
【符号の説明】
【００５５】
１  映像入力部
２  ＡＤ変換部
３  画角変換部
４  ＤＡ変換部
５  液晶パネルドライブ部
６  ランプ
７  液晶パネル
８  投写レンズ
９  スクリーン
１０  オンスクリーンディスプレイ（ＯＳＤ）
１１  ＣＰＵ
１２  記憶部
１３  キー入力部
１４  画像データ抽出部
【図１】
2007336370.tif 000003
【図２】
2007336370.tif 000004
【図３】
2007336370.tif 000005
【図４】
2007336370.tif 000006
【図５】
2007336370.tif 000007
【図６】
2007336370.tif 000008
【図７】
2007336370.tif 000009
【図８】
2007336370.tif 000010
【図９】
2007336370.tif 000011
【図１０】
2007336370.tif 000012